(57)【要約】【課題】  ギフト箱を離れた場所からでもしっかりと視認できるように見栄え良く陳列することができ、また複数の棚を前後に並べて使用することも可能で、しかも、収納や運搬作業を軽量かつコンパクトな形態で行える折り畳み式陳列スタンドを提供すること。【解決手段】  複数のギフト箱Ｂ・Ｂ…または直方体状の商品を立てた状態で陳列するための折り畳み式陳列スタンドにおいて、床面に接地させる土台部11・11上に左右一対の支柱12・12が鉛直方向に固定されて成り、かつ、前記支柱12・12が上下方向に伸縮自在なテレスコピック構造から成る金属製の支持脚フレーム１と；当該支持脚フレーム１の支柱12・12に揺動自在に連結された矩形型の棚基枠21を備え、かつ、この棚基枠21の左右の側枠21a・21a間に複数の棚板22・22…が上下方向に所定間隔で設けられた金属製の棚フレーム２とを含んで構成した。【選択図】  図１
2020025630.tif 000002
【特許請求の範囲】
【請求項１】
複数のギフト箱(Ｂ)(Ｂ)…または直方体状の商品を立てた状態で陳列するための折り畳み式陳列スタンドであって、
床面に接地させる土台部(11)上に左右一対の支柱(12)(12)が鉛直方向に固定されて成り、かつ、前記支柱(12)(12)が上下方向に伸縮自在なテレスコピック構造から成る金属製の支持脚フレーム(１)と；当該支持脚フレーム(１)の支柱(12)(12)に揺動自在に連結された矩形型の棚基枠(21)を備え、かつ、この棚基枠(21)の左右の側枠(21a)(21a)間に複数の棚板(22)(22)…が上下方向に所定間隔で設けられた金属製の棚フレーム(２)とを含んで構成されていることを特徴とする折り畳み式陳列スタンド。
【請求項２】
棚フレーム(２)の棚板(22)において、ギフト箱(Ｂ)または直方体状の商品を載置する載せ板部(22a)の後側に背板部(22b)が上方に向けて設けられると共に、この背板部(22b)の両端が棚基枠(21)の左右の側枠(21a)(21a)に固定され、更に背板部(22b)よりも載せ板部(22a)の左右幅が小さいことを特徴とする請求項１に記載の折り畳み式陳列スタンド。
【請求項３】
棚フレーム(２)の棚板(22)において、ギフト箱(Ｂ)または直方体状の商品を載置する載せ板部(22a)の後側に背板部(22b)が上方に向けて設けられると共に、載せ板部(22a)の前側に、ギフト箱(Ｂ)または直方体状の商品の落下を防止するための立上り部(22c)が上方に向けて形成されていることを特徴とする請求項１または２に記載の折り畳み式陳列スタンド。
【請求項４】
支持脚フレーム(１)の支柱(12)(12)が、土台部(11)に固定された内筒部(12a)(12a)と、この内筒部(12a)(12a)に沿って上下にスライドする外筒部(12b)(12b)とから構成されると共に、外筒部(12b)(12b)の上端部と棚基枠(21)が回動自在に連結され、かつ、外筒部(12b)(12b)の上下中間部位に左右の外筒部(12b)(12b)同士を繋ぐ第一桟部(12c)が設けられる一方、
棚フレーム(２)の棚基枠(21)には、前記回動連結部よりも下側に左右の側枠(21a)(21a)同士を繋ぐ第二桟部(21c)が設けられ、
更に前記第一桟部(12c)と第二桟部(21c)には、二本の揺動アーム(３)(３’)の一端がそれぞれ回動自在に連結されると共に、これらの揺動アーム(３)(３’)同士も他端側で回動自在に連結されて、二本の揺動アーム(３)(３’)を屈曲型から直線型、或いは直線型から屈曲型に変形させることで棚基枠(21)が所定の角度範囲内で揺動可能となっていることを特徴とする請求項１〜３の何れか一つに記載の折り畳み式陳列スタンド。
【請求項５】
一方の揺動アーム(３)の他端側において、揺動アーム(３)の長さ方向に突き出したストッパー部(31)が設けられて、このストッパー部(31)に他方の揺動アーム(３’)の上面を当接させることにより、二本の揺動アーム(３)(３’)の回動を直線型の状態で制止させて棚フレーム(２)の傾斜角度が固定可能となっていることを特徴とする請求項４記載の折り畳み式陳列スタンド。
【請求項６】
棚フレーム(２)の棚基枠(21)の上枠(21b)に、棒状または筒状のカードホルダ固定部(23)が棚基枠(21)の背面側に回動自在に設けられていることを特徴とする請求項１〜５の何れか一つに記載の折り畳み式陳列スタンド。
【発明の詳細な説明】
【技術分野】
【０００１】
本発明は、陳列棚の改良、詳しくは、ギフト箱や直方体状の商品を立てた状態で陳列できる折り畳み式陳列スタンドに関するものである。
【背景技術】
【０００２】
周知のとおり、通夜や葬儀、告別式においては、祭壇の前にお菓子や果物等の供物が飾られることが多く、供物を入れた盛り籠を並べて飾るのが一般的である。また従来においては、供物を盛り籠に直接入れずに供物が収容されたギフト箱(贈答箱)を支持具に載せた状態で盛り籠に入れる方法も提案されている(特許文献１参照)。
【０００３】
しかしながら、上記盛り籠を用いた飾り方は、盛り籠に入れることができる供物の高さに限界があるため、供物を離れた場所から視認することが難しいという欠点がある。また盛り籠の数が多くなると全てを横に並べる必要があるため、広い祭壇の前に盛り籠用の広いスペースを確保しなければならないだけでなく、見栄えも良くない。
【０００４】
一方、本件出願人は、以前に供物を詰めたギフト箱を飾る飾り棚を開発し、実用新案登録出願も行っているが(特許文献２参照)、この飾り棚に関しては、ギフト箱を横向きに寝かせた状態で載置するものであったため、飾り棚の寸法が大きくなり易いだけでなく、側板や載置板等によって重量も大きくなり易かった。
【０００５】
また上記飾り棚に関しては、不使用時にコンパクト化することも難しい構造であったため、広い収納スペースが必要となり、また飾り棚を一人で持ち運ぶことも難しかった。また上記飾り棚はギフト箱を横向きに寝かせる構造であったため、離れた場所からギフト箱を視認することも難しく、飾り棚を前後に並べて使用することもできなかった。
【先行技術文献】
【特許文献】
【０００６】
【特許文献１】特開２００４−４１３５０号
【特許文献２】実用新案登録第３０９７６５１号公報
【発明の概要】
【発明が解決しようとする課題】
【０００７】
本発明は、上記問題を鑑みて為されたものであり、その目的とするところは、ギフト箱を離れた場所からでもしっかりと視認できるように見栄え良く陳列することができ、また複数の棚を前後に並べて使用することも可能で、しかも、収納や運搬作業を軽量かつコンパクトな形態で行える折り畳み式陳列スタンドを提供することにある。
【課題を解決するための手段】
【０００８】
本発明者が上記技術的課題を解決するために採用した手段を、添付図面を参照して説明すれば、次のとおりである。
【０００９】
即ち、本発明は、複数のギフト箱Ｂ・Ｂ…または直方体状の商品を立てた状態で陳列するための折り畳み式陳列スタンドにおいて、床面に接地させる土台部11・11上に左右一対の支柱12・12が鉛直方向に固定されて成り、かつ、前記支柱12・12が上下方向に伸縮自在なテレスコピック構造から成る金属製の支持脚フレーム１と；当該支持脚フレーム１の支柱12・12に揺動自在に連結された矩形型の棚基枠21を備え、かつ、この棚基枠21の左右の側枠21a・21a間に複数の棚板22・22…が上下方向に所定間隔で設けられた金属製の棚フレーム２とを含んで構成した点に特徴がある。
【００１０】
また上記棚フレーム２の棚板22は、ギフト箱Ｂまたは直方体状の商品を載置する載せ板部22aの後側に背板部22bを上方に向けて設けると共に、背板部22bの両端を棚基枠21の左右の側枠21a・21aに固定し、更に背板部22bよりも載せ板部22aの左右幅を小さく形成することで、陳列されたギフト箱Ｂを下側から手で持ち上げて取り出すことができる。
【００１１】
加えて、上記棚フレーム２の棚板22においては、載せ板部22aの前側にギフト箱Ｂまたは直方体状の商品の落下を防止するための立上り部22cを上方に向けて形成することで、ギフト箱Ｂ等を安定した状態で立てて陳列することができる。
【００１２】
また本発明においては、上記支持脚フレーム１の支柱12・12を、土台部11に固定された内筒部12a・12aと、この内筒部12a・12aに沿って上下にスライドする外筒部12b・12bとから構成すると共に、外筒部12b・12bの上端部と棚基枠21を回動自在に連結し、外筒部12b・12bの上下中間部位に左右の外筒部12b・12b同士を繋ぐ第一桟部12cを設ける一方、棚フレーム２の棚基枠21には、前記回動連結部よりも下側に左右の側枠21a・21a同士を繋ぐ第二桟部21cを設け、更に前記第一桟部12cと第二桟部21cには、二本の揺動アーム３・３’の一端をそれぞれ回動自在に連結すると共に、これらの揺動アーム３・３’同士も他端側で回動自在に連結して、二本の揺動アーム３・３’を屈曲型から直線型、或いは直線型から屈曲型に変形させることで棚基枠21を所定の角度範囲内で揺動させることができる。
【００１３】
また上記構成を採用する場合には、一方の揺動アーム３の他端側において、揺動アーム３の長さ方向に突き出したストッパー部31を設けて、このストッパー部31に他方の揺動アーム３’の上面を当接させることにより、二本の揺動アーム３・３’の回動を直線型の状態で制止させて棚フレーム２の傾斜角度を固定することができる。
【００１４】
また本発明では、上記棚フレーム２の棚基枠21の上枠21bに、棒状または筒状のカードホルダ固定部23を棚基枠21の背面側に回動自在に設けることにより、カードホルダ５の不使用時にカードホルダ固定部23を棚基枠21の背面側に収納することができる。
【発明の効果】
【００１５】
本発明では、折り畳み式陳列スタンドを支持脚フレームと棚フレームから構成し、使用時に棚フレームを揺動させて傾斜させることで、ギフト箱(または直方体状の商品)を立てた状態で棚板上に載置することができるため、離れた場所からでも視認できるようにギフト箱を見栄え良く陳列することができる。
【００１６】
また本発明においては、上記支持脚フレームを伸縮自在な構造として陳列スタンドの高さ調節を行えるようにしたことにより、低い陳列スタンドを前側に配置し、高い陳列スタンドを後側に配置して複数の陳列スタンドを前後に並べて使用できるため、より多くのギフト箱(または直方体状の商品)を陳列することも可能となる。
【００１７】
しかも、本発明では、棚フレーム折り畳むことでコンパクトな形態とすることができるため、不使用時の収納スペースを小さく抑えることもできる。また更に、本発明の陳列スタンドは、その構造上、重量の大きい側板や載置板等が必要ないため、重量も小さく一人でも簡単に持ち運びを行うことができる。
【００１８】
以上のように、本発明によって、冠婚葬祭(特に葬儀)等のイベントにおいて、供物や贈答品などを詰めたギフト箱を参加者の前に外観良く陳列できるだけでなく、準備や片付け作業時および保管時における利便性にも優れた陳列スタンドを提供できることから、本発明の実用的価値は頗る高い。
【図面の簡単な説明】
【００１９】
【図１】本発明の第一実施形態における陳列スタンドを表す全体斜視図である。
【図２】本発明の第一実施形態における陳列スタンドを表す全体正面図及び全体側面図である。
【図３】本発明の第一実施形態における陳列スタンドを表す全体斜視図である。
【図４】本発明の第一実施形態における陳列スタンドを表す全体正面図及び全体側面図である。
【図５】本発明の第一実施形態における陳列スタンドの使用状態を表す全体斜視図である。
【図６】本発明の第一実施形態における支持脚フレームの土台部を表す拡大斜視図である。
【図７】本発明の第一実施形態における固定ピン及び揺動アームを表す拡大斜視図である。
【図８】本発明の第一実施形態における揺動アームの直線型の状態を表す拡大側面図である。
【図９】本発明の第一実施形態におけるカードホルダ固定部の構造を表す拡大斜視図である。
【図１０】本発明の第一実施形態におけるカードホルダを表す拡大斜視図、及びその使用状態を表す状態説明図である。
【図１１】本発明の第一実施形態における造花固定部を表す拡大斜視図である。
【図１２】本発明の第一実施形態におけるギフト箱を表す拡大斜視図である。
【発明を実施するための形態】
【００２０】
『第一実施形態』
本発明の第一実施形態を、図１から図１２に基いて以下に説明する。ちなみに同図において、符号１で指示するものは、支持脚フレームであり、符号２で指示するものは、棚フレームである。また符号３で指示するものは、揺動アームであり、符号４で指示するものは、線状部材である。また符号５で指示するものは、カードホルダであり、符号Ｂで指示するものは、ギフト箱である。
【００２１】
「折り畳み式陳列スタンドの構成」
[１]ギフト箱飾り棚の基本構成について
本実施形態では、図１〜図４に示すように金属製の支持脚フレーム１に対し同じく金属製の棚フレーム２をヒンジ連結して折り畳み式の陳列スタンドを構成している。また支持脚フレーム１は、床面に接地させる土台部11上に左右一対の支柱12・12を鉛直方向に設けて構成している。また左右の支柱12・12には、上下方向に伸縮自在なテレスコピック構造の棒体を使用している。
【００２２】
一方、上記棚フレーム２については、左右の側枠21a・21aと上枠21bを含む矩形型の棚基枠21と、この棚基枠21の左右の側枠21a・21a間に設けられた複数の棚板22・22…とから構成し、これら棚板22・22を上下方向に所定間隔で配置している。そして、この棚基枠21の左右の側枠21a・21aを、上記支持脚フレーム１の支柱12・12の上部に揺動自在に連結して陳列スタンドを構成している。
【００２３】
[２]支柱の伸縮機構について
また上記支持脚フレーム１の支柱12・12については、図３及び図４に示すように、土台部11に固定された内筒部12a・12aと、この内筒部12a・12aに沿って上下にスライドする外筒部12b・12bとから構成し、内筒部12aに複数の留め孔Ｈ・Ｈ…、外筒部12bに一つの留め孔Ｈを設けて、両方の留め孔Ｈ・Ｈに固定ピン13・13を差し込むことで段階的に支柱12・12の長さを調節できるようにしている。
【００２４】
なお本実施形態では、上記のように支柱12・12に段階式の伸縮機構を採用しているが、流体圧シリンダー等のアクチュエータを用いた無段階式の伸縮機構を採用することもできる。また支柱12・12にコイルスプリング等の弾性部材を内蔵して外筒部12bを上方に付勢することで外筒部12bを持ち上げ易くすることもできる。
【００２５】
[３]棚フレームの揺動機構について
また上記棚フレーム２の揺動機構については、図１〜図４に示すように支柱12の外筒部12b・12bの上端部と棚基枠21を回動自在にヒンジ連結すると共に、外筒部12b・12bの上下中間部位に設けた左右の外筒部12b・12b同士を繋ぐ第一桟部12cと、棚基枠21と外筒部12b・12bの回動連結部よりも下側に設けた左右の側枠21a・21a同士を繋ぐ第二桟部21cとを二本の揺動アーム３・３’で連結して構成している。
【００２６】
そして、上記第一桟部12cと第二桟部21cに、二本の揺動アーム３・３’の一端をそれぞれ回動自在に連結すると共に、これらの揺動アーム３・３’同士も他端側で回動自在にヒンジ連結して、二本の揺動アーム３・３’を屈曲型から直線型、或いは直線型から屈曲型に変形させることにより棚基枠21を所定の角度範囲内で揺動可能としている。
【００２７】
[４]陳列スタンドの機能について
上記のように陳列スタンドを構成したことにより、不使用時には図１及び図２に示すように支持脚フレーム１の支柱11・11を縮め、棚フレーム２を鉛直方向に向くように折り畳んでコンパクトな形態で収納・運搬を行うことができる。また使用時には、図３〜図５に示すように、棚フレーム２を傾斜させて棚板22・22…の載せ板22a上にギフト箱Ｂを立てた状態で陳列することで飾り棚として使用することができる。
【００２８】
また陳列スタンドを冠婚葬祭時のギフト箱飾り棚として使用する際には、図３及び図４に示すように支持脚フレーム１の支柱11・11を伸ばした陳列スタンドを、支柱11・11を縮めた他の陳列スタンドの後方に並べることで、二つの陳列スタンドに上下に並べたギフト箱Ｂが全て見えるように展示することもできる。これにより小さいスペースでより多くのギフト箱Ｂを見栄え良く陳列することが可能となる。
【００２９】
[５]支持脚フレームについて
[5-1]土台部
次に上記陳列スタンドの各構成要素について説明する。まず支持脚フレーム１の土台部11については、本実施形態では図６に示すように二本の角筒型の金属パイプを、これらが前後方向を向くように左右に平行に配置し、更にこれら二本の金属パイプ同士を別の金属パイプでＨ型に連結して構成している。また左右の金属パイプの前後の端部には、滑り止めと床面の損傷を防ぐためにゴム部材を装着している。
【００３０】
また本実施形態では、図６に示すように上記左右の金属パイプ上に連結用の金属パイプを載せた状態でＨ型に固定している。これにより連結用金属パイプの下側にスペースを形成することができるため、収納時にこのスペースに他の陳列スタンドの土台部11を差し込んで陳列スタンドを前後に重ねた状態でコンパクトに収納できる。また連結用の金属パイプは、左右の金属パイプに固定する方法だけでなく、支柱12・12の左右の内筒部12a・12aの下端部間に架け渡した状態で固定することもできる。
【００３１】
また本実施形態では、上記土台部11を構成している左右の金属パイプにそれぞれ支柱21・21の内筒部12a・12aを固定しているが、車輪付きの台車を土台部11として台車上に支柱21・21を固定することもでき、また各支柱21・21の底部に床面との接触面積が大きい矩形状または円形状の金属板を固定して土台部11・11とすることもできる。
【００３２】
[5-2]支柱の形状
また上記支持脚フレーム１の支柱12・12については、本実施形態では、図３及び図４に示すように内筒部12a・12aと外筒部12b・12bにそれどれ角筒状の金属パイプを使用しているが、円筒状のものや断面コ型の半筒状のものを使用することもできる。また本実施形態では、外筒部12b・12bを可動部としているが、内筒部12a・12aを可動部とすることもでき、その場合には外筒部12b・12bを土台部11に固定して構成できる。
【００３３】
[5-3]固定ピン
また上記支持脚フレーム１の支柱12・12の固定ピン13に関しては、図７に示すように、Ｌ型の金属棒体を使用しており、この固定ピン13と第一桟部12cとを線状部材４で連結している。これにより固定ピン13の紛失を防止することができる。なお線状部材４に関しては、本実施形態ではチェーン部材を使用しているが、ワイヤー等の金属線材や紐部材などを使用することもできる。
【００３４】
[６]棚フレームについて
[6-1]棚基枠
上記棚フレーム２の棚基枠21については、本実施形態では、図１〜図４に示すように左右の側枠21a・21aと、左右の側枠21a・21aの上端部を繋ぐ上枠21bとから構成しているが、左右の側枠21a・21aの下端部を繋ぐ下枠を設けることもできる。また本実施形態では、棚基枠21の材料に角筒型の金属パイプを使用しているが、円筒型の金属パイプを使用することもでき、また上枠21bや下枠に金属板を使用することもできる。
【００３５】
[6-2]棚板
また上記棚フレーム２の棚板22に関しては、本実施形態では、図１〜図４に示すように載せ板部22aの後側に背板部22bを上方に向けて設け、更にこの背板部22bの両端を棚基枠21の左右の側枠21a・21aに固定して構成している。また本実施形態では、左右の側枠21a・21aに固定した背板部22bよりも載せ板部22aの左右幅を小さく形成して陳列されたギフト箱Ｂの取り出しを容易に行えるようにしている。
【００３６】
また上記棚板22の載せ板部22aの前後幅や背板部22bの高さは、載置するギフト箱Ｂの寸法に応じて設計しており、載せ板部22aの左右幅についても本実施形態では二つ折り型のギフト箱Ｂを開いた状態で載せたときに載せ板部22aからギフト箱Ｂの両端部がハミ出るように設計している。なお背板部22bの高さについては、ギフト箱Ｂを立て掛けられる程度の大きさとすることもできる。
【００３７】
また本実施形態では、載せ板部22aの中央に仕切部を設けない形態を採用しているが、中央に仕切部を設けて二つ折り型のギフト箱Ｂの横ズレが起きないように構成することもできる。また上記載せ板部22aの左右幅を大きくする場合、または載置するギフト箱Ｂの左右幅が小さい場合には、複数の仕切部を設けることもできる。
【００３８】
[6-2]棚板の立上り部
また本実施形態では、図１〜図４に示すように上記載せ板部22aの前側にギフト箱Ｂの落下を防止するための立上り部22cを上方に向けて形成しており、これによりギフト箱Ｂを安定した状態で立てて陳列することができる。なお本実施形態では、立上り部22cを載せ板部22aの前縁全体にわたって形成しているが、部分的に形成することもできる。
【００３９】
また上記立上り部22cを設ける代わりに、載せ板部22aの前側に垂れ板部を下方に向けて設けると共に、この垂れ板部に対して板状の留め具を回転自在に固定して構成することもできる(図示せず)。具体的には、載せ板部22aの下面側にアングル材を溶接して垂れ板部を形成し、この垂れ板部に留め具をリベットで固定して留め具が垂れ板部の前面に沿って回転するように構成できる。また上記立上り部22cや留め具を設ける場合には、ギフト箱Ｂが傷まないようにプラスチック製の板材を使用することもできる。
【００４０】
[6-3]棚基枠のカードホルダ固定部
また本実施形態では、図８に示すように上記棚基枠21の上枠21bの背面側に本体部23aが棒状のカードホルダ固定部23を設けている。これにより、図５に示すように名札等を入れたカードホルダ５を装着して陳列スタンドを使用することができる。また本実施形態形態では、図８(a)に示すように、カードホルダ固定部23の本体部23aを棚基枠21の上枠21bにヒンジ部23bを介して連結することにより棚基枠21の背面側に本体部23aを回動自在に設けているため、カードホルダ５の不使用時には、図８(b)に示すようにカードホルダ固定部23の本体部23aを棚基枠21の背面側に収納することができる。
【００４１】
また本実施形態では、上記カードホルダ固定部23の本体部23aに棒状の形態を採用してカードホルダ５の背面側に形成された凹部(詳しくは後述する)に差し込んで装着できるように構成しているが、カードホルダ固定部23の本体部23aに筒状の形態を採用してカードホルダ５の凸部を中空部に挿入して装着できるように構成することもできる。
【００４２】
[6-4]棚基枠の造花固定部
また本実施形態では、図１〜図４及び図９に示すように上記棚フレーム２の棚基枠21の両側に左右の側枠21a・21aから外側に突き出した板状の造花固定部24・24を設けている。具体的には、図９に示すように先端側に孔部を備えた金属板を棚基枠21の上下に取り付けて上下固定部24a・24aとし、更に図９(b)に示すように先端側にフック部を備えた金属板を棚基枠21の上下中間部に取り付けて中間固定部24bとしている。これにより、図５に示すように造花の蔦部分を上下固定部24a・24aと中間固定部24bに固定して造花の取り付けを行うことができる。
【００４３】
なお上記造花固定部24・24に関しては、必要に応じて造花をしっかりと固定できるように中間固定部24bを複数設けることもでき、また造花の取り付け位置に応じて上下固定部24a・24aの一方のみを設けることもできる。また造花固定部24・24の形態に関しても、造花の取り付けが可能であれば、板状の形態を採用しなくとも棒状や線状の形態を採用することもできる。また陳列スタンドの使用時において、造花固定部24・24に造花以外の装飾部材(例えば、生花や装飾ランプ、風船など)を固定することもできる。
【００４４】
[７]揺動アームについて
[7-1]揺動アーム
また上記揺動アーム３・３’に関しては、本実施形態では図１〜図４及び図１０に示すように金属製のチャンネル材と板材を組み合わせ使用しているが、形状については求められる強度等に応じて任意に変更できる。また上記揺動アーム３・３’の長さについても、棚フレーム２の揺動範囲に応じて適宜変更することができ、本実施形態では棚フレーム２の最大傾斜角度が10°〜45°の範囲に収まる長さとしている。
【００４５】
[7-2]揺動アームのストッパー部
また本実施形態では、図７に示すように一方の揺動アーム３の他端側に、揺動アーム３の長さ方向に対して突き出したストッパー部31を設けている。これにより、図１０に示すように棚フレーム２を傾斜させた状態でストッパー部31に他方の揺動アーム３’の上面を当接させることによって、二本の揺動アーム３・３’の回動を直線型の状態で制止させて棚フレーム２の傾斜角度を固定することができる。
【００４６】
また本実施形態では、図１０に示すように二本の揺動アーム３・３’を少しだけＶ字型に屈曲させた状態(本明細書中ではこれも直線型の状態に含まれるものとする)で制止できるようにストッパー部31を設けている。これにより、ギフト箱Ｂを陳列した棚フレーム２にちょっとした衝撃が加わった場合でも揺動アーム３・３’が簡単に屈曲型の状態に戻らないようにすることができるため、棚フレーム２の揺動によるギフト箱Ｂの落下を防止することができる。なお揺動アーム３・３’を屈曲型の状態に戻す際には、揺動アーム３・３’同士のヒンジ連結部を上側に押し上げるだけでよい。
【００４７】
[８]カードホルダについて
また本実施形態では、図１１(a)に示すようにカードホルダ５を、名札等のカードや紙をスリットに挿入して前面側から見えるように装着可能な板状の本体部51と、その本体部51の背面側に形成されたカードホルダ固定部23の本体部23aを差し込むための差込み凹部52とから構成している。また本実施形態では、差込み凹部52・52を本体部51の短辺方向と長辺方向に設けて、カードホルダ５をカードホルダ固定部23に対して縦向きの状態でも横向きの状態でも固定できるようにしている。
【００４８】
また本実施形態では、上記カードホルダ固定部23の本体部23aに棒状の形態を採用してカードホルダ５の背面側に形成された差込み凹部52に差し込んで装着できるように構成しているが、カードホルダ固定部23の本体部23aに筒状の形態を採用する場合には、カードホルダ５の背面側や縁部に凸部や棒状部を設けて、これらをカードホルダ固定部23の本体部23aに差し込んで装着できるように構成することもできる。
【００４９】
また上記カードホルダ５に関しては、図５に示すようなカードホルダ固定部23に装着する以外にも、図１１(b)に示すように棚フレーム２の棚板22に載せて使用することもできる。またカードホルダ５の形態に関しては、前面側に透明カバーを備え、かつ、背面側に不透明の基板を備えた一般的な形態のものを適宜選択して採用することができる。
【００５０】
[９]ギフト箱について
また本実施形態では、上記ギフト箱Ｂとして、図１２に示すような二つ折り型の形態のものを採用している。具体的には、図１２(a)に示すように供物等を収容する二つの箱部材Ｐ・Ｐの開口部側の側縁部同士を連結して、この連結部Ｊを中心に二つの箱部材Ｐ・Ｐの開閉が行えるようにすると共に、各箱部材Ｐ・Ｐの連結部Ｊと反対側の側縁部に蓋部Ｃ・Ｃを設けて、二つの箱部材Ｐ・Ｐを閉じた状態で蓋部Ｃ・Ｃを重ねて固定できるようにしている。これにより、図１２(b)に示すように二つの箱部材Ｐ・Ｐを開口部が内側を向いた二つ折りの形態に変形させることができる。
【００５１】
また本実施形態では、図１２(a)に示すように上記ギフト箱Ｂの一方の箱部材Ｐの蓋部Ｃに取っ手部Ｔを設けると共に、他方の箱部材Ｐの蓋部Ｃに挿通孔を設けている。これにより、図１２(b)に示すように箱部材Ｐ・Ｐを折り畳んだ際、取っ手部Ｔを挿通孔に挿入した状態で蓋部Ｃ・Ｃ同士を固定することができるため、ギフト箱Ｂを二つ折りの状態で取っ手部Ｔを掴んで持ち運ぶことが可能となる。また本実施形態では、各箱部材Ｐ・Ｐの開口部に対して透明カバー材を取り付けているため、ギフト箱Ｂを開いた状態で立てても収容物が飛び出す心配はない。
【００５２】
また上記二つ折り型のギフト箱Ｂについては、冠婚葬祭だけでなくその他のイベント等にも使用することができ、商品の包装箱として使用することもできる。また商品の包装箱として使用する場合には、商品が見えるように陳列することができる。また陳列スタンドに陳列するものは、必ずしもギフト箱Ｂである必要はなく、直方体型の商品(例えば、包装箱に入った商品や商品自体が直方体型の本など)であってもよい。
【００５３】
「折り畳み式陳列スタンドの使用方法」
[１]支持脚フレームの高さ調節と棚フレームの角度変更
次に上記陳列スタンドの使用方法について簡単に説明する。まず支持脚フレーム１の支柱12の長さを調整し、留め孔Ｈに固定ピン13を差し込んで固定する。そして、棚フレーム２は、鉛直方向に向いた状態から最大傾斜角度まで揺動させ、揺動アーム３・３’を直線型の状態にして固定する。この際、揺動アーム３のストッパー部31を上から下方に押し込むことで簡単に棚フレーム２の角度を固定できる。
【００５４】
[２]ギフト箱の載置
次に、上記傾斜させた棚フレーム２の棚板22の載せ板部22a上に、ギフト箱Ｂ・Ｂ…(または直方体型の商品)を立てた状態で載置する。なお二つ折り型のギフト箱Ｂを使用する場合には、連結部Ｊによって二つの箱部材Ｐ・Ｐが開いた状態から閉じた状態に戻ろうとする力が働くため、箱部材Ｐ・Ｐの底面部を棚板22の背板部22bに、また箱部材Ｐ・Ｐの開口部側の側縁部を立上り部22cに接触させた状態で安定載置できる。
【産業上の利用可能性】
【００５５】
「折り畳み式陳列スタンドの用途」
また上記陳列スタンドの用途については、葬儀の供物を収容した箱を陳列するための用途(供物箱飾り棚)だけでなく、その他の冠婚葬祭の行事で使用できる他、イベントにおいて参加者や来賓に贈り物をする際に、贈り物を入れたギフト箱を陳列する目的で使用できる。また商品の陳列や展示を行う什器として使用することもできる。
【符号の説明】
【００５６】
１  支持脚フレーム
11  土台部
12  支柱
12a  内筒部
12b  外筒部
12c  第一桟部
13  固定ピン
２  棚フレーム
21  棚基枠
21a  側枠
21b  上枠
21c  第二桟部
22  棚板
22a  載せ板部
22b  背板部
22c  立上り部
23  カードホルダ固定部
23a  本体部
23b  ヒンジ部
24  造花固定部
24a  上下固定部
24b  中間固定部
３  揺動アーム
31  ストッパー部
４  線状部材
５  カードホルダ
51  本体部
52  差込み凹部
Ｂ  ギフト箱
Ｈ  留め孔
【図１】
2020025630.tif 000003
【図２】
2020025630.tif 000004
【図３】
2020025630.tif 000005
【図４】
2020025630.tif 000006
【図５】
2020025630.tif 000007
【図６】
2020025630.tif 000008
【図７】
2020025630.tif 000009
【図８】
2020025630.tif 000010
【図９】
2020025630.tif 000011
【図１０】
2020025630.tif 000012
【図１１】
2020025630.tif 000013
【図１２】
2020025630.tif 000014